(57)【要約】      （修正有）【課題】同軸プラグ接続の外部導体接続の電気的特性を改善する。【解決手段】本発明のコネクタにおいて、同軸プラグ接続のためのコンタクトスリーブ１００に関し、ＨＦプラグ接続の第1のコネクタの外部導体のためのコンタクトスリーブ１００は少なくとも1つのスロット１４を備える前側領域１２を有し、当該スロット１４の寸法はコンタクトスリーブ１００が第２のコネクタに接続された時、前側領域１２はそれ自身を閉じるようにする、コネクタ。【選択図】図２
2020113544.tif 000002
【特許請求の範囲】
【請求項１】
スロット及び突起部を含む第１ターミナルコネクタであり、前記スロットは、２つの対向する側を有する、前記第１ターミナルコネクタと、
前記第１ターミナルコネクタを受ける容器を含む第２ターミナルコネクタと、を備え、
前記第１ターミナルコネクタ及び前記第２ターミナルコネクタの解放状態において、前記スロットの前記２つの対向する側は開口し、
前記突起部が前記容器の遠位開口部の内壁に接触する、前記第１ターミナルコネクタ及び前記第２ターミナルコネクタの同軸係合状態において、前記スロットの前記２つの対向する側は閉口し、
前記スロットは、１５度及び６０度の間の角度からなる群から選択される角度だけ前記第１ターミナルコネクタの縦方向軸線に対して角度をつけられる、
コネクタ。
【請求項２】
前記第１ターミナルコネクタと同軸であり、電気的絶縁された導体を備える、請求項１に記載のコネクタ。
【請求項３】
前記突起部は、凹部に隣接して半径方向に配置され、前記スロットは前記凹部に接続される、請求項１又は２に記載のコネクタ。
【請求項４】
前記第１ターミナルコネクタは、前記第２ターミナルコネクタに向く方向に前記第１ターミナルコネクタの遠位端で徐々に細くなる、請求項３に記載のコネクタ。
【請求項５】
前記突起部は、前記第１ターミナルコネクタの周方向に配置される複数の前記突起部を用いて形成される、請求項３又は４に記載のコネクタ。
【請求項６】
スロット及び突起部を含むコンタクトスリーブを備え、
前記スロットは、１５度及び６０度の間の角度だけ前記コンタクトスリーブの縦方向軸線に対して角度をつけられ、
前記コンタクトスリーブは、前記コンタクトスリーブが嵌合コネクタ内に真直ぐに挿入するように、前記コンタクトスリーブの遠位端で係合方向に徐々に細くなる、
ＨＦコネクタ。
【請求項７】
前記コンタクトスリーブの半径方向内側にあり、同軸であり、且つ電気的に絶縁された導体を備える、請求項６に記載のＨＦコネクタ。
【請求項８】
前記突起部は、凹部に隣接して半径方向に配置され、前記スロットは前記凹部に接続される、請求項６又は７に記載のＨＦコネクタ。
【請求項９】
前記突起部は、前記コンタクトスリーブの周方向に配置される複数の前記突起部を用いて形成される、請求項６又は７に記載のＨＦコネクタ。
【発明の詳細な説明】
【技術分野】
【０００１】
本発明は、同軸プラグ接続の外部導体のためのコンタクトスリーブに関する。
【背景技術】
【０００２】
欧州特許ＥＰ１６４１０８６Ｂ１は、低減された差し込み力によって操作可能なプラグコネクタを開示する。これに関して、半径方向に開口したリングを有するプラグコネクタが説明され、プラグコネクタを差し込むとき、当該リングが半径方向に拡大される。
【０００３】
ＤＥ１９９１３８９８Ｃ１は、ＨＦプラグ接続（５０）の第1のコネクタの外部導体のためのコンタクトスリーブ（１０、１００）を開示し、コンタクトスリーブ（１０、１００）は、少なくとも1つのスロット１４を備える前側領域（１２）を有し、当該コンタクトスリーブが第２のコネクタ４０に接続されたとき、スロットは、前側領域がそれ自身を閉じるような寸法を有し、また前側領域は、環状設計を有する。
【発明の概要】
【発明が解決しようとする課題】
【０００４】
このような背景の下で、本発明の目的は、改善された電気的特性を有するプラグ接続を提供することである。
【課題を解決するための手段】
【０００５】
本発明によれば、当該目的は、請求項１の特徴を有する高周波プラグ接続の外部導体のためのコンタクトスリーブにより実現され、および/または請求項１０の特徴を有するＨＦプラグ接続により実現される。
【０００６】
これに対応して、本発明は、以下の内容を提供する。
【０００７】
ＨＦプラグ接続の第1のコネクタの外部導体のための、少なくとも1つのスロットを備える前側領域を有するコンタクトスリーブであって、当該スロットは、コンタクトスリーブが第２のコネクタに接続されたとき、前記前側領域がそれ自身を閉じるような寸法を有し、また前側領域は、環状設計を有し、スロットは、コンタクトスリーブの縦方向軸線（４２）に対して角度を形成して、当該縦方向軸線とスロットとは、１５°から６０°の間の角度を含む。
【０００８】
本発明の考えは、差し込んだときにコンタクトスリーブの前側領域ができるだけ円周である、即ち、実質的に切断点がないように設計されるように、第1のコネクタの外部導体のためのコンタクトスリーブを設計することにある。
【０００９】
本発明によれば、前側領域のスロットは、第２のコネクタに接続されたときに、それ自身を閉じるように設計される。
【００１０】
従って、本発明に係るコンタクトスリーブは、コンタクトスリーブが共に差し込まれた状態であるときに、実質的に円周である前側領域を介してインピーダンスのより均一な分布を保証する。
【００１１】
コンタクトスリーブの縦方向軸線に対するスロットの角度は、公差補償に関して独特な機械的利点をもたらす。
【００１２】
「円周の前側領域」の記載は、コンタクトスリーブの共に差し込まれた状態を指すことが理解されるべきである。
【００１３】
さらなる従属請求項から、及び、図面に関する記載から、有利な実施例及び進歩性は、自明である。
【００１４】
本発明の好ましい実施例によれば、コンタクトスリーブのスロットは、第1のコネクタがＨＦプラグ接続の第２のコネクタに接続されたときに差し込み力を低減させ、また公差補償が提供されるように設計される。
【００１５】
スロットのない前側領域を有するコンタクトスリーブに比べて、スロットを介して、コンタクトスリーブが第２のコネクタに接続されるのに必要な差し込み力を低減させることができる。
【００１６】
なお、本発明に係るコンタクトスリーブは、前側領域の大きすぎるかまたは小さすぎる寸法が、共に差し込まれた状態で、互いに対して変位するスロットの対向する側によって、および、スロットの対向する側の残りの隙間によって補償されるという程度に、公差補償を提供する。
【００１７】
当業者らが「自己閉鎖型」という用語を、コンタクトスリーブが第２のコネクタに接続されたときに、スロットの対向する側がお互いに向って移動し、望ましくお互いに接触することを意味していると理解するだろう。しかし、当業者であれば、可能性のある製造公差のために、スロットの対向する側の間の残りの小さな隙間が完全に閉じられない可能性があることを認識するであろう。
【００１８】
さらなる好ましい実施例によれば、コンタクトスリーブは、弾性領域の変形性を提供し、かつ、差し込み力をさらに低減するように構成される少なくとも1つの凹部を有する弾性領域を備える。
【００１９】
本発明に係る弾性領域によって、弾性領域の凹部を介して、コンタクトスリーブの適合性と変形可能性がさらに高められ、それによって前側領域が弾性領域に対して変位することが保証される。これは、特に、小さい差し込み力を用いた小さなプラグ接続の場合には、特に有利である。
【００２０】
さらなる好ましい実施例によれば、縦方向軸線とスロットとが、３０°から５０°の間の角度を形成し、特に、大体４５°の角度を形成する。これに対応して、スロットが、縦方向軸線に対して４５°の角度を形成したときに、スロットの対向する側の傾きのリスクの低減及びスロットの対向する側の、特に容易に互いに関連して変位する能力によって、直径の最大公差補償を保証できる。
【００２１】
さらなる好ましい実施例によれば、弾性領域は、第２のコネクタとの電気的接触を提供するように構成される突起部を有し、特に、突起部は、凹部に半径方向に隣接して設置される。従って、第1のコネクタ及び第２のコネクタの二つの接続しようとする外部導体は、特に簡単な方法で接触することができる。なお、このタイプの接触は、振動または衝撃が発生しても特にフェールセーフであることが証明される。
【００２２】
さらなる好ましい実施例によれば、コンタクトスリーブは、少なくとも２つの凹部を有し、特に、少なくとも４つの凹部を有し、より特別に、少なくとも６つの凹部を有する。当業者であれば、凹部の数もそれらの幾何学的寸法も、コンタクトスリーブの寸法に応じて規定されることを理解する。
【００２３】
さらなる好ましい実施例によれば、コンタクトスリーブの前側領域は、前側に向って徐々に細くなる。これにより、コンタクトスリーブを第２のコネクタに接続させるのに必要な差し込み力がさらに低減される。
【００２４】
第1のコネクタ及び第２のコネクタを有するＨＦプラグ接続は、特に有利であり、第1のコネクタは、本発明に係るコンタクトスリーブを有し、またコンタクトスリーブは、外部導体として設計される。
【００２５】
本発明に係るＨＦプラグ接続の好ましい実施例によれば、第1のコネクタは、プラグとして設計され、第２のコネクタは、ソケットとして設計される。しかしながら、当業者は、非雄（ｎｏｎ-ｍａｌｅ）/雌コネクタも本特許出願の保護の範囲内に含まれることを理解するであろう。なお、当業者は、本発明に係るコンタクトスリーブが、ソケットの一部を形成してもいいことを理解するであろう。
【００２６】
本発明に係るＨＦプラグ接続の好ましい実施例によれば、第２のコネクタは、突起部にラッチするのに適しているラッチ手段を有する。例えば、ラッチ手段は、突起部に対応する凹部として設計することができる。従って、コンタクトの信頼性をさらに向上させることができる。
【００２７】
適切な場合には、上述した実施例及び改善は、任意の形態で互いに組み合わせることができる。本発明の更なる可能な実施例、改善及び実施形態は、明示的に言及していない本発明の特徴の組み合わせも含み、例示的な実施例に対して、これらの組み合わせは上述したかまたは後述する。特に、当業者は、本発明のそれぞれの基本的形態に改良または補足として個々の態様を加えることになる。
【図面の簡単な説明】
【００２８】
以下は、模式図に提供された例示的な実施例によって、本発明を詳細に説明する。
【００２９】
【図１】本発明に係るコンタクトスリーブを示す斜視図である。
【００３０】
【図２】本発明に係るコンタクトスリーブを示す斜視図である。
【００３１】
【図３】本発明に係るコンタクトスリーブを示す斜視図である。
【００３２】
【図４】本発明に係る高周波プラグ接続を示す断面図である。
【００３３】
【図４ａ】図４の一部を示す図である。
【００３４】
【図５】本発明に係る高周波プラグ接続を示す断面図である。
【００３５】
【図５ａ】図５の一部を示す図である。
【００３６】
添付の図面は、本発明の実施例のさらなる理解を可能とすることが意図されている。図面は、実施例を解釈し、説明と共に本発明の原理と概念を解釈するためのものである。他の実施例および多くの言及した利点は、図面から明らかになる。図中の要素は必ずしも縮尺通りに示されていない。
【００３７】
それぞれの場合において、同一の機能的に類似の要素、特徴および構成要素、および同じ効果を有する構成要素は、図面において同じ参照番号で示されている。
【発明を実施するための形態】
【００３８】
本発明を、好適な例示的な実施例により上記に完璧に説明したが、本発明はこれに限定されるものではなく、種々の変形が可能である。
【００３９】
図１は、本発明に係るコンタクトスリーブ１０を示す斜視図である。コンタクトスリーブ１０は、スロット１４を備える前側領域１２を有する。スロット１４は、対向する側１４ａ及び１４ｂによって境界が定められる。スロット１４の幾何学的寸法は、前側領域１２が共に押圧されると、スロット１４の対向する側１４ａ及び１４ｂが互いに向かって移動するような寸法になる。
【００４０】
図１において、コンタクトスリーブの前側領域１２は、筒状領域１６に取り付けられる。この目的のために、コンタクトスリーブ１０の筒状領域１６は、周方向溝（図示せず）を有し、前側領域は、当該周方向溝中に案内される。前側領域１２と筒状領域１６との間の解放可能な接続によって、前側領域１２の筒状領域１６に対する変形と移動の能力が十分に確保される。
【００４１】
図２及び図３が概略的に以下に説明される。図２及び図３は、それぞれ本発明に係るコンタクトスリーブ１００を示す斜視図である。
【００４２】
図１において既に説明したように、コンタクトスリーブ１００は、さらに、対向する側１４ａ及び１４ｂによって境界が定められたスロット１４を有する。スロット１４は、コンタクトスリーブ１００の前側領域１２に配置される。コンタクトスリーブ１００の前側領域１２は、コンタクトスリーブ１００の筒状領域１６と共に単一部品として設計される。
【００４３】
筒状領域１６は、凹部２２ａ-２２ｆ及び突起部２４ａ-２４ｆを備える弾性領域２０を有する。凹部２２ａ-２２ｆは、コンタクトスリーブ１００の十分な変形可能性を保証する。
【００４４】
コンタクトスリーブ１００の変形可能性をさらに改善するために、スロット１４は、弾性領域２０の凹部２２ｂに接続される。
【００４５】
コンタクトスリーブ１００は、各凹部２２ａ-２２ｆとの間に突起部２４ａ-２４ｆを有する。共に差し込まれた状態で、突起部２４ａ-２４ｆは、第２のコネクタ４０の外部導体との電気的接触を確実にする。当業者であれば、突起部２４ａ-２４ｆの配置は、凹部２２ａ-２２ｆの間の配置に決して限定されないことを理解する。特に、突起部は、前側領域１２に設けられてもよく、または前側領域１２と弾性領域２０との間に設けられてもよい。
【００４６】
図３は、またコンタクトスリーブ１００に隣接する内部導体３０及び絶縁部３２を示す。絶縁部３２は、プラスチックリングとして設計される。
【００４７】
以下は、図４、４ａ及び５が概略的に以下に説明される。図４及び図５は、それぞれコンタクトスリーブ１００及び第２のコネクタ４０を示す断面図である。
【００４８】
図４は、引き抜かれた状態のコンタクトスリーブ１００及び第２のコネクタ４０を示す。図４ａ中の部分領域４０は、コンタクトスリーブ１００の前側領域１２がスロット１４を有することを示す。
【００４９】
図５及び５ａは、共に差し込まれた状態のコンタクトスリーブ１００及び第２のコネクタ４０を示し、図４及び図４ａ中のスロット１４が、図５及び図５ａにおいては閉じている状態であることがはっきり見分けられる。
【符号の説明】
【００５０】
１０  コンタクトスリーブ
１００  コンタクトスリーブ
１２  前側領域
１４  スロット
１４ａ  スロット側
１４ｂ  スロット側
１６  筒状領域
２０  弾性領域
２２ａ-２２ｆ  凹部
２４ａ-２４ｆ  突起部
３０  内部導体
３２  絶縁部
４０  第２のコネクタ
４０ａ  領域
４２  縦方向軸線
５０  高周波プラグ接続
５０ａ  領域
【図１】
2020113544.tif 000003
【図２】
2020113544.tif 000004
【図３】
2020113544.tif 000005
【図４】
2020113544.tif 000006
【図４ａ】
2020113544.tif 000007
【図５】
2020113544.tif 000008
【図５ａ】
2020113544.tif 000009
【外国語明細書】
2020113544000001.pdf